(57)【特許請求の範囲】
【請求項１】
中継増幅回路ユニットが組み込まれており、通信回線の途中に接続される中継装置において、
上記中継増幅回路ユニットの中継増幅回路用コネクタと、コンタクト間が電気的に接続してあるバイパス用コネクタとが共に固定して設けてあり、
入線と出線とは、端側に曲げることが可能である部分を有する構成であり、
該入線と出線の先端に接続してあり、該入線と出線の曲がりを伴って位置を変えることが可能である切り換え用コネクタを有し、
入線からの信号を上記中継増幅回路ユニットをバイパスして出線へ伝える場合には、上記切り換え用コネクタを上記バイパス用コネクタに接続させ、
入線からの信号を上記中継増幅回路ユニットを経由して出線へ伝える場合には、上記切り換え用コネクタを上記中継増幅回路用コネクタに接続させる構成としたことを特徴とする中継装置。
【発明の詳細な説明】
【０００１】
【発明の属する技術分野】
本発明は中継装置に係り、特に、局舎側から遠隔地の加入者に対するディジタル信号を使用したISDN(Integrated Service Digital Network)回線サービスのために設置される中継装置に関する。
【０００２】
局舎側からの距離が長くなるとディジタル信号の線路損失が多くなるため、局舎側からの距離制限を越える遠隔地の加入者に対するISDN回線サービスは、図１に示すように、通信回線の途中に中継装置１０を設置して行われる。
【０００３】
１１は局舎、１２は局舎内回線終端盤、１３は局舎側から延びている複数の通信回線、１４は加入者に延びている複数の通信回線、１５は複数の加入者宅、１６は給電装置、１７はディジタル回線終端装置、１８は電話機、１９はパソコンである。
【０００４】
中継装置１０は、内部に中継増幅回路２０が複数組み込んである。
【０００５】
ここで、加入者に提供されるサービスは夫々異なるため、中継装置１０は、ISDN回線サービス未加入の加入者にも対応可能であるようになっていることが必要である。また、中継装置１０は、ISDN回線サービス未加入の加入者がISDN回線サービスを希望した場合に迅速にこれに対応することが可能であるようになっていることも必要である。
【０００６】
図１では、通信回線１４−１、１４−２が夫々中継増幅回路２０−１，２０−２に接続されており、通信回線１４−１、１４−２にはディジタル信号が送られ、ISDN回線サービスが加入者宅１５−１及び１５−２に提供されている。通信回線１３−３、１４−３は中継増幅回路２０−３には接続されていず、中継増幅回路２０−３をバイパスしており、通信回線１４−３にはアナログ信号が送られている。加入者宅１５−３には、ISDN回線サービスが提供されていない。中継増幅回路２０−３は、加入者宅１５−３がISDN回線サービスの提供を希望した場合に直ぐに対応可能であるように、予め組み込まれているものである。
【０００７】
加入者宅１５−３がISDN回線サービスの提供を希望した場合には、通信回線１４−３を中継増幅回路２０−３に接続する作業を行うことによって、迅速に加入者宅１５−３にISDN回線サービスの提供をすることが可能となる。
【０００８】
なお、中継装置１０は、既設の加入者回線の束を切断し、各切断の端を中継装置１０に接続することによって通信回線の途中に設置される。
【０００９】
【従来の技術】
一般には、回線の切換え接続は、スイッチを使用して行われる。
【００１０】
【発明が解決しようとする課題】
ここで、スイッチを使用する場合には、接触子の酸化により接触抵抗が高くなる傾向があり、信頼性の点で問題があった。即ち、ISDN回線サービスに支障をきたす虞れがあった。
【００１１】
また、スイッチの場合には、作業者が作業中にスイッチに触れてスイッチが元に戻ってしまう不都合が起きる危険があり、スイッチに触れないようにスイッチを板金部材で囲むようにする対策が必要となり、中継装置は構造が複雑となり且つサイズが大きくなってしまう。ここで、中継装置は小型軽量化を図るものであり、サイズが大きくなることは、好ましくない。
【００１２】
そこで、本発明は、上記課題を解決した中継装置を提供することを目的とする。
【００１３】
【課題を解決するための手段】
請求項１の発明は、中継増幅回路ユニットが組み込まれており、通信回線の途中に接続される中継装置において、
上記中継増幅回路ユニットの中継増幅回路用コネクタと、コンタクト間が電気的に接続してあるバイパス用コネクタとが共に固定して設けてあり、
入線と出線とは、端側に曲げることが可能である部分を有する構成であり、
該入線と出線の先端に接続してあり、該入線と出線の曲がりを伴って位置を変えることが可能である切り換え用コネクタを有し、
入線からの信号を上記中継増幅回路ユニットをバイパスして出線へ伝える場合には、上記切り換え用コネクタを上記バイパス用コネクタに接続させ、
入線からの信号を上記中継増幅回路ユニットを経由して出線へ伝える場合には、上記切り換え用コネクタを上記中継増幅回路用コネクタに接続させる構成としたものである。
【００１９】
接続の切り換えをスイッチを利用して行う構成に比べて高い信頼性を有する。
【００２０】
【発明の実施の形態】
［第１実施例］
図２は本発明の第１実施例になる中継装置３０をその扉３３を開いた状態で示す。図３は中継装置３０の内部の配線を示す。Ｘは長手方向、Ｙは奥行き方向、Ｚは高さ方向である。
【００２１】
中継装置３０は、前面が開口３１である箱体３２と、通常は開口３１を覆っており、工事のときに手前に開かれる扉３３とを有する。
【００２２】
箱体３２の内部には、回線切り換え部３４が設けてあり、回線切り換え部３４の隣に、中継増幅回路ユニット収容部３５が形成してあり、中継増幅回路ユニット収容部３５に図４に示す中継増幅回路ユニット４０がＺ方向に並んで組み込まれている。中継増幅回路ユニット収容部３５は中継増幅回路ユニット４０を組み込み得る大きさとなっている。
【００２３】
回線切り換え部３４は、一つの中継増幅回路ユニット４０毎に、Ｘ２側に切り換え用雄コネクタ１４４を、Ｘ１側にバイパス用雌コネクタ３７を有する。回線切り換え部３４には、複数の切り換え用雄コネクタ１４４及びバイパス用雌コネクタ３７が設けてある。
【００２４】
中継増幅回路ユニット４０は、図４に示すように、細長い前面パネル４１に、ディジタル信号を増幅する中継増幅回路ユニット本体４２と中継増幅回路用雌コネクタ４３とが取り付けてある構成である。中継増幅回路用雌コネクタ４３は、前面パネル４１のうちＸ１側に設けてあり、中継増幅回路ユニット本体４２と電気的に接続してある。中継増幅回路ユニット４０は、前面パネル４１のＸ方向の両端側のねじ４４，４５を締めることによって、中継増幅回路ユニット収容部３５内に収容されて取り付けてある。
【００２５】
図２に拡大して示すように、一つの中継増幅回路ユニット４０毎に、Ｘ２側からＸ１の方向に向かって、中継増幅回路用雌コネクタ４３と、切り換え用雄コネクタ１４４と、バイパス用雌コネクタ３７とが並んでいる。
【００２６】
箱体３２の底面には、コネクタ５０，５１が設けてある。局舎側通信線（入線）１３は開口部５２を通って、中継装置３０内に導かれており、コネクタ５０に接続してある。加入者側通信線（出線）１４は開口部５３を通って、中継装置３０内に導かれており、コネクタ５１に接続してある。
【００２７】
また、図３及び図２に示すように、中継増幅回路用雌コネクタ４３、切り換え用雄コネクタ１４４、バイパス用雌コネクタ３７は、方向性を有するコネクタであり、具体的にはモジュラージャックであり、夫々２つのコンタクト４３ａ，４３ｂ，１４４ａ，１４４ｂ，３７ａ，３７ｂを有する。なお、実際には通信線はライン１とライン２とのペア線であり、各モジュラージャックは、４つのコンタクトを有している。図２では、分かりやすくするために、簡略して示してある。
【００２８】
コネクタ５０から延びている装置内電線（入線）５４は切り換え用雄コネクタ１４４のコンタクト１４４ａに接続してある。別のコネクタ５１から延びている装置内電線（出線）５５は切り換え用雄コネクタ１４４の別のコンタクト１４４ｂに接続してある。
【００２９】
バイパス用雌コネクタ３７の２つのコンタクト３７ａ，３７ｂには、バイパス用電線５６の端が接続してある。
【００３０】
装置内電線（入線）５４及び装置内電線（出線）５５の先端には切り換え用雄コネクタ１４４が接続してある。装置内電線（入線）５４及び装置内電線（出線）５５には余長が持たせてあり、切り換え用雄コネクタ１４４をバイパス用雌コネクタ３７及び中継増幅回路用雌コネクタ４３に接続することが可能である長さだけ開口１４０より前に突き出ている。装置内電線（入線）５４及び装置内電線（出線）５５のうち開口１４０より出ている部分は、被覆部１４１によって覆われており、ケーブル１４２となっている。また、開口１４０の箇所にゴムブッシュ１４３が嵌合してあり、ケーブル１４２が保護されている。
【００３１】
ケーブル１４２を適宜曲げることによって、切り換え用雄コネクタ１４４をバイパス用雌コネクタ３７に接続すること、又は中継増幅回路用雌コネクタ４３に接続することが可能である。上記の各コネクタ１４４，４３等は、モジュラージャックに限らず、他の汎用のコネクタを使用可能である。
【００３２】
▲１▼  ISDN回線サービスの提供が行われない場合（アナログ回線を運用する場合）
図５（Ａ）、（Ｂ）に示すように、切り換え用雄コネクタ１４４がバイパス用雌コネクタ３７に接続してある。局舎側通信線（入線）１３は、バイパス用雌コネクタ３７を経由し、中継増幅回路ユニット４０をバイパスして加入者側通信線（出線）１４に接続されている。局舎から局舎側通信線（入線）１３に送り出されたアナログ信号は、そのまま加入者側通信線（出線）１４に伝送される。
【００３３】
▲２▼  ISDN回線サービスの提供を行う場合（ディジタル回線を運用する場合）
切り換え用雄コネクタ１４４をバイパス用雌コネクタ３７から引き抜いて、図６（Ａ）に示すように、ケーブル１４２をＸ２方向に曲げて、切り換え用雄コネクタ１４４を中継増幅回路用雌コネクタ４３に接続する。
【００３４】
これにより、図６（Ｂ）に示すように、局舎側通信線（入線）１３は、中継増幅回路ユニット４０を経由して加入者側通信線（出線）１４に接続された状態となる。よって、局舎から局舎側通信線（入線）１３に送り出されたディジタル信号は、中継増幅回路ユニット４０において増幅され、加入者側通信線（出線）１４に伝送される。
【００３５】
切り換え用雄コネクタ１４４を雌コネクタ３７、４３に差し込んで接続された状態では、各コネクタ内のコンタクトが摩擦し、ばね力によって強く接触した状態となっている。よって、酸化被膜が除去され、各コネクタ内のコンタクト同士の間の接触電気抵抗は、スイッチの場合に比べて、高い信頼性を有する。即ち、ISDN回線サービスは正常であり、アナログ回線も正常に運用される。
【００３６】
また、切り換え用雄コネクタ１４４が雌コネクタ３７、４３に差し込こまれて接続されると、作業中に作業者の手が切り換え用雄コネクタ１４４に触れた程度では、雌コネクタ３７、４３から外れることは起きない。よって、切り換え用雄コネクタ１４４を板金部材で囲むようにする対策は必要でなく、中継装置３０のサイズは小さく、小型軽量化が図れる。
【００３７】
また、図２に拡大して示すように、各コネクタ１４４，３７，４３の隣には文字の表示があり、切り換え用雄コネクタ１４４がどのような接続状態にあるかは目視によって確認することが可能である。
【００３８】
また、切り換え用雄コネクタ１４４は、ケーブル１４２が曲がることによって、各コネクタ３７，４３間の距離は自由に変更可能である。よって、中継増幅回路用雌コネクタ４３とバイパス用雌コネクタ３７とは配置に関して高精度は要求されない。よって、中継装置３０は組立てがし易い。
【００３９】
［第２実施例］
図７（Ａ）、（Ｂ）は本発明の第２実施例になる中継装置３０Ｂの一部を示す。この中継装置３０Ｂは、中継増幅回路ユニット４０Ｂと切り換え用雄コネクタ７０とを有する。
【００４０】
中継増幅回路ユニット４０Ｂは、正面の中央に一つの雌コネクタ８０を有する。雌コネクタ８０は、２つの中継増幅用端子４３Ｂａ，４３Ｂｂと、２つのバイパス用端子３７Ｂａ，３７Ｂｂとが並んでいる構成である。バイパス用端子３７Ｂａ，３７Ｂｂは電気的に接続してある。
【００４１】
切り換え用雄コネクタ７０は、図７（Ａ）に示す表の向き及び上下反転した図８（Ａ）に示す裏の向きの何れの向きでも上記の雌コネクタ８０に接続可能である形状を有し、内部には、二つの端子７１，７２を有する。端子７１に装置内電線（入線）５４の端が接続してあり、端子７２に装置内電線（出線）５５の端が接続してある。
【００４２】
また、切り換え用雄コネクタ７０は、二つの表示部７３，７４を有する。表示部７３は、図７（Ａ）に示すように、切り換え用雄コネクタ７０が表の向きとされたときに上側に現われ、「バイパス接続」の文字が記載してある。表示部７４は、図８（Ａ）に示すように、切り換え用雄コネクタ７０が裏の向きとされたときに上側に現われ、「中継増幅接続」の文字が記載してある。
【００４３】
▲１▼  ISDN回線サービスの提供が行われない場合（アナログ回線を運用する場合）
図７（Ａ）、（Ｂ）に示すように、切り換え用雄コネクタ７０が、上方から「バイパス接続」の文字が見える向きで、雌コネクタ８０に接続してある。端子７１，７２が夫々バイパス用端子３７Ｂａ，３７Ｂｂと接続されている。装置内電線（入線）５４は、バイパス用端子３７Ｂａ，３７Ｂｂを経由し、中継増幅回路ユニット４０Ｂをバイパスして装置内電線（出線）５５に接続されている。局舎から局舎側通信線（入線）１３に送り出されたアナログ信号は、装置内電線（入線）５４→バイパス用端子３７Ｂａ，３７Ｂｂ→装置内電線（入線）５５を通ってそのまま加入者側通信線（出線）１４に伝送される。
【００４４】
▲２▼  ISDN回線サービスの提供を行う場合（ディジタル回線を運用する場合）
切り換え用雄コネクタ７０を雌コネクタ８０から引き抜いて、図８（Ａ）、（Ｂ）に示すように、切り換え用雄コネクタ７０を表裏反転させて、雌コネクタ８０に再度接続する。端子７１，７２が夫々中継増幅用端子４３Ｂｂ，４３Ｂａに接続される。
【００４５】
これにより、上方から「中継増幅接続」の文字が見える状態となる。また、装置内電線（入線）５４は、中継増幅回路ユニット４０Ｂを経由して装置内電線（出線）５５に接続された状態となる。よって、局舎から局舎側通信線（入線）１３に送り出されたディジタル信号は、装置内電線（入線）５４を経て中継増幅回路ユニット４０Ｂに供給され、ここで増幅され、装置内電線（出線）５５を経て加入者側通信線（出線）１４に伝送される。
【００４６】
なお、切り換え用雄コネクタ７０の中継増幅回路ユニット４０Ｂへの接続の状態は、上面側に位置する表示部７３又は表示部７４の表示を読み取ることによって一目で確認することが出来る。
【００４７】
［第３実施例］
図９（Ａ）は本発明の第３実施例になる中継装置３０Ｃの一部を示す。この中継装置３０Ｃは、切り換え用雌コネクタ３６が図２に示す箱体３２の中継増幅回路ユニット収容部３５の奥の部分３５ａ１に固定して設けてあり、直方体形状の中継増幅回路ユニット４０Ｃが独立しており、中継増幅回路ユニット収容部３５内に挿入されて組み込まれている構成である。
【００４８】
中継増幅回路ユニット４０Ｃは、上面９０、底面９１、前面９２、背面９３を有し、中継増幅回路用雄コネクタ４３Ｃに加えて、バイパス用雄コネクタ３７Ｃが設けてある。中継増幅回路用雄コネクタ４３Ｃとバイパス用雄コネクタ３７Ｃとは、前面９２に並んで設けてある。中継増幅回路ユニット４０Ｃが取り付けられた状態で箱体３２の開口３１に露出する背面９３に、表示機構９５が設けてある。表示機構９５は、上面９０側の半分の部分であり、「バイパス接続」の文字が記載してある表示部９６と、底面９１側の半分の部分であり、「中継増幅接続」の文字が上下逆さの向きで記載してある表示部９７と、一方の表示部９６に対応する大きさであり、両側のガイド９８によって移動可能に支持されているカバー９９とよりなる。カバー９９は、重力でもって下方に移動しており、下側の表示部９６又は９７の表記を隠す。
【００４９】
▲１▼  ISDN回線サービスの提供が行われない場合（アナログ回線を運用する場合）
中継増幅回路ユニット４０Ｃは、図９（Ａ）に示す向きで、中継増幅回路ユニット収容部３５内に挿入されて組み込まれている。バイパス用雄コネクタ３７Ｃが切り換え用雌コネクタ３６に嵌合して接続してある。装置内電線（入線）５４は、切り換え用雌コネクタ３６及びバイパス用雄コネクタ３７Ｃを経由し、中継増幅回路ユニット４０Ｃをバイパスして装置内電線（出線）５５に接続されている。局舎から局舎側通信線（入線）１３に送り出されたアナログ信号は、電線（入線）５４→バイパス用雄コネクタ３７Ｃ→電線（入線）５５を通ってそのまま加入者側通信線（出線）１４に伝送される。
【００５０】
表示機構９５は、カバー９９が「中継増幅接続」の表記を隠し、「バイパス接続」の表記が見える状態となる。
【００５１】
▲２▼  ISDN回線サービスの提供を行う場合（ディジタル回線を運用する場合）
中継増幅回路ユニット４０Ｃを引き抜いて中継増幅回路ユニット収容部３５ａの外に取り出し、上下反転させて、図１０（Ａ）に示す向きで、中継増幅回路ユニット収容部３５ａ内に挿入させて組み込む。
【００５２】
これにより、図１０（Ｂ）に併せて示すように、中継増幅回路用雄コネクタ４３Ｃが切り換え用雌コネクタ３６Ｃに嵌合して接続され、装置内電線（入線）５４は、切り換え用雌コネクタ３６Ｃ及び中継増幅回路用雄コネクタ４３Ｃを経て、中継増幅回路ユニット４０Ｃを経由して装置内電線（出線）５５に接続された状態となる。よって、局舎から局舎側通信線（入線）１３に送り出されたディジタル信号は、電線（入線）５４を経て中継増幅回路ユニット４０Ｃに供給され、ここで増幅され、電線（出線）５５を経て加入者側通信線（出線）１４に伝送される。
【００５３】
表示機構９５は、カバー９９が「バイパス接続」の表記を隠し、「中継増幅接続」の表記が見える状態となる。
【００５４】
［第４実施例］
図１１（Ａ）は本発明の第４実施例になる中継装置３０Ｄの一部を示す。この中継装置３０Ｄは、中継増幅回路用雌コネクタ１００及び切り換え用雌コネクタ３６Ｄが図２に示す箱体３２の中継増幅回路ユニット収容部３５の奥の部分３５ａ１に固定して設けてあり、中継増幅回路用雄コネクタ４３Ｄを有する中継増幅回路ユニット４０Ｄが中継増幅回路ユニット収容部３５ａ内に挿入されて、中継増幅回路用雄コネクタ４３Ｄが中継増幅回路用雌コネクタ１００に嵌合して接続した状態で組み込まれおり、接続切り換え用コネクタ部材６０が切り換え用雌コネクタ３６Ｄに嵌合して接続される構成である。
【００５５】
図１３は切り換え用コネクタ３６Ｄと接続切り換え用コネクタ部材６０とを対向させて示す。図１３（Ａ）に示すように、切り換え用コネクタ３６Ｄは、合成樹脂製の立方体形状の本体１２０のマトリクス状の穴１２１内に、コンタクトＡ〜Ｈが中心Ｏに関して点対称に配置してあり、且つ、本体１２０の上面に窓部１２２を有し、本体１２０の両側に係止爪部１２３，１２４を有し、且つ、周囲にスリット１２５を有する構成である。コンタクトＡ，Ｂ，Ｇ，Ｈは各コーナ部に配置してあり、コンタクトＣ，Ｄ，Ｅ，Ｆは中央部に配置してある。図１１（Ｂ）に示すように、装置内電線（入線）５４のライン１がコンタクトＨに、ライン２がコンタクトＦに接続してある。装置内電線（出線）５５のライン１がコンタクトＢに、ライン２がコンタクトＤに接続してある。中継増幅回路用雌コネクタ１００から延びている装置内電線（入線）１３０のライン１がコンタクトＧに、ライン２がコンタクトＥに接続してある。中継増幅回路用雌コネクタ１００から延びている装置内電線（出線）１３１のライン１がコンタクトＡに、ライン２がコンタクトＣに接続してある。
【００５６】
図１３（Ｂ）に示すように、接続切り換え用コネクタ部材６０は、マトリクス状に並んでいる複数の四角筒１１２を有する合成樹脂製の立方体形状の本体１１１と、前記のコンタクトＡ〜Ｈに対応した配置で四角筒１１２内に組み込まれているコンタクトＡ１〜Ｈ１と、本体１１１の内部に設けてコンタクトＡ１〜Ｈ１間を電気的に接続する電気的接続片１１３〜１１６（図１１（Ｂ）参照）とを有する構成である。四角筒１１２は、上記の穴１２１内に嵌合する大きさであり、マトリクス状に並んでいる。電気的接続片１１３はコンタクトＡ１とＧ１との間を、電気的接続片１１４はコンタクトＣ１とＥ１との間を、電気的接続片１１５はコンタクトＢ１とＨ１との間を、電気的接続片１１６はコンタクトＤ１とＦ１との間を接続している。本体１１１は、コンタクトＡ１、Ｂ１が並んでいる面に、「バイパス接続」の表記部１１６を有し、コンタクトＡ１、Ｇ１が並んでいる面に、「中継増幅接続」の表記部１１７を有する。
【００５７】
接続切り換え用コネクタ部材６０を図１３（Ｂ）に示す状態から、軸１１８を中心に矢印１１９で示す方向に９０度回動させると、図１３（Ｃ）に示す状態となる。
【００５８】
切り換え用コネクタ３６Ｄに対して、接続切り換え用コネクタ部材６０は、図１３（Ｂ）に示す向きで、及び、図１３（Ｃ）に示す向きで接続可能である。接続切り換え用コネクタ部材６０Ｄは、四角筒１１２が穴１２１内に嵌合し、本体１１１がスリット１２５内に嵌合して、且つ、コンタクトＡ１〜Ｈ１が対応するコンタクトＡ〜Ｈに接触して接続される。図１３（Ｂ）に示す向きの場合には、コンタクトＡ１〜Ｈ１が夫々コンタクトＡ〜Ｈに接触し、「バイパス接続」の表記部１１６が窓部１２２に現れる。図１３（Ｃ）に示す向きの場合には、コンタクトＡ１〜Ｈ１が夫々コンタクトＢ，Ｈ，Ｄ，Ｆ，Ｃ，Ｅ，Ａ，Ｇに接触し、「中継増幅接続」の表記部１１７が窓部１２２に現れる。また、接続切り換え用コネクタ部材６０Ｄは、係止爪部１２３，１２４によって係止されて、外れ難い。
【００５９】
▲１▼  ISDN回線サービスの提供が行われない場合（アナログ回線を運用する場合）
接続切り換え用コネクタ部材６０が「バイパス接続」の表記部１１６が上を向いた向き、即ち、図１３（Ｂ）に示す姿勢で、切り換え用コネクタ３６Ｄに嵌合して接続されている。
【００６０】
接続切り換え用コネクタ部材６０は切り換え用コネクタ３６Ｄに、図１１（Ｂ）に示すように接続してある。コンタクトＨとコンタクトＢとが電気的に接続してあり、コンタクトＤとコンタクトＦとが電気的に接続してある。よって、装置内電線（入線）５４のライン１が装置内電線（出線）５５のライン１と電気的に接続され、装置内電線（入線）５４のライン２が装置内電線（出線）５５のライン２と電気的に接続され、装置内電線（入線）５４は中継増幅回路ユニット４０Ｄをバイパスして装置内電線（出線）５５と接続されている。局舎から局舎側通信線（入線）１３に送り出されたアナログ信号は、中継増幅回路ユニット４０Ｄをバイパスして通って、そのまま加入者側通信線（出線）１４に伝送される。
【００６１】
また、図１１（Ａ）に示すように、窓部１２２には、「バイパス接続」の表記部１１６が現れている。
【００６２】
▲２▼  ISDN回線サービスの提供を行う場合（ディジタル回線を運用する場合）
接続切り換え用コネクタ部材６０を引き抜いて９０度回して、図１３（Ｃ）に示す向きで、切り換え用コネクタ３６Ｄに再度差し込み、図１２（Ａ），（Ｂ）に示す状態とする。
【００６３】
これにより、コンタクトＨがコンタクトＧと、コンタクトＦがコンタクトＥと、コンタクトＢがコンタクトＡと、コンタクトＤがコンタクトＣと電気的に接続され、装置内電線（入線）５４のライン１及びライン２が夫々装置内電線（入線）１３０のライン１及びライン２と電気的に接続され、装置内電線（出線）５５のライン１及びライン２が夫々装置内電線（出線）１３１のライン１及びライン２と電気的に接続される。よって、局舎から局舎側通信線（入線）１３に送り出されたディジタル信号は、装置内電線（入線）５４→切り換え用コネクタ３６Ｄ、接続切り換え用コネクタ部材６０→装置内電線（入線）１３０を経て中継増幅回路ユニット４０Ｄに供給され、ここで増幅され、装置内電線（出線）１３１→切り換え用コネクタ３６Ｄ、接続切り換え用コネクタ部材６０→装置内電線（出線）５５を経て加入者側通信線（出線）１４に伝送される。
【００６４】
また、図１２（Ａ）に示すように、窓部１２２には、「中継増幅接続」の表記部１１７が現れる。
【００６５】
以上、本発明を実施例により説明したが、本発明は前記実施例に限定されるものではなく、本発明の範囲内で種々の変形及び改良が可能であることはいうまでもない。
（付記１）  中継増幅回路ユニットが組み込まれており、通信回線の途中に接続される中継装置において、
入線が上記中継増幅回路ユニットをバイパスして出線に電気的に接続されるバイパス接続と、上記入線が上記中継増幅回路ユニットを経由して上記出線に電気的に接続される中継増幅接続との間での切り換えを、コネクタの接続状態を変更することによって行う構成としたことを特徴とする中継装置。
（付記２）  付記１記載の中継装置において、上記コネクタの接続状態が、バイパス接続であるか中継増幅接続であるかを表示する手段を有する構成としたことを特徴とする中継装置。
（付記３）  中継増幅回路ユニットが組み込まれており、通信回線の途中に接続される中継装置において、
上記中継増幅回路ユニットの中継増幅回路用コネクタと、コンタクト間が電気的に接続してあるバイパス用コネクタとが共に固定して設けてあり、
入線と出線とは、端側に曲げることが可能である部分を有する構成であり、
該入線と出線の先端に接続してあり、該入線と出線の曲がりを伴って位置を変えることが可能である切り換え用コネクタを有し、
入線からの信号を上記中継増幅回路ユニットをバイパスして出線へ伝える場合には、上記切り換え用コネクタを上記バイパス用コネクタに接続させ、
入線からの信号を上記中継増幅回路ユニットを経由して出線へ伝える場合には、上記切り換え用コネクタを上記中継増幅回路用コネクタに接続させる構成としたことを特徴とする中継装置。
（付記４）  中継増幅回路ユニットが組み込まれており、通信回線の途中に接続される中継装置において、
上記中継増幅回路ユニットは、中継増幅用端子とバイパス用端子とを有するコネクタを有する構成であり、
入線と出線の先端に接続してあり、異なる向きで上記コネクタに接続可能であり、且つ、接続状態を表示する第１及び第２の表示部を有する構成の切り換え用コネクタを有し、
入線からの信号を上記中継増幅回路ユニットをバイパスして出線へ伝える場合には、上記切り換え用コネクタを上記第１の表示部が表示された向きで上記コネクタに接続させ、
入線からの信号を上記中継増幅回路ユニットを経由して出線へ伝える場合には、上記切り換え用コネクタを上記第２の表示部が表示された向きで上記コネクタに接続させる構成としたことを特徴とする中継装置。
（付記５）  中継増幅回路ユニットが組み込まれており、通信回線の途中に接続される中継装置において、
入線と出線の先端に接続してある切り換え用コネクタが固定して設けてあり、
上記中継増幅回路ユニットは、中継増幅回路用コネクタとバイパス用コネクタを有し、且つ、接続状態を表示する第１及び第２の表示部を有する構成であり、
入線からの信号を上記中継増幅回路ユニットをバイパスして出線へ伝える場合には、上記中継増幅回路ユニットをそのバイパス用コネクタを切り換え用コネクタに接続させて、上記第１の表示部が表示された状態で組み込み、
入線からの信号を上記中継増幅回路ユニットを経由して出線へ伝える場合には、上記中継増幅回路ユニットをその中継増幅回路用コネクタを切り換え用コネクタに接続させて、上記第２の表示部が表示された状態で組み込む構成としたことを特徴とする中継装置。
（付記６）  付記５記載の中継装置において、
上記中継増幅回路ユニットは、接続状態を表示する第１及び第２の表示部を有する構成であり、
上記中継増幅回路ユニットをそのバイパス用コネクタを切り換え用コネクタに接続させて組み込んだ状態では、上記第１の表示部が表示され、
上記中継増幅回路ユニットをその中継増幅回路用コネクタを切り換え用コネクタに接続させて組み込んだ状態では、上記第２の表示部が表示され構成としたことを特徴とする中継装置。
（付記７）  中継増幅回路ユニットが組み込まれており、通信回線の途中に接続される中継装置において、
上記中継増幅回路ユニットに到っている入線と出線の途中の箇所に固定して設けてある切り換え用コネクタを有し、
該異なる向きで上記切り換え用コネクタに接続可能であり、且つ、接続状態を表示する第１及び第２の表示部を有する構成であり、略立方体形状の接続切り換え用コネクタ部材を有し、
入線からの信号を上記中継増幅回路ユニットをバイパスして出線へ伝える場合には、上記接続切り換え用コネクタ部材を、上記第１の表示部が表示される向きで、上記切り換え用コネクタに接続し、
入線からの信号を上記中継増幅回路ユニットを経由して出線へ伝える場合には、上記接続切り換え用コネクタ部材を、上記第２の表示部が表示される向きで、上記切り換え用コネクタに接続する構成としたことを特徴とする中継装置。
【００６６】
【発明の効果】
以上説明したように、請求項１の発明は、中継増幅回路ユニットの中継増幅回路用コネクタと、コンタクト間が電気的に接続してあるバイパス用コネクタとが共に固定して設けてある構成であり、且つ、入線と出線とは、端側に曲げることが可能である部分を有する構成であり、且つ、該入線と出線の先端に接続してあり、該入線と出線の曲がりを伴って位置を変えることが可能である切り換え用コネクタを有し、且つ、入線からの信号を上記中継増幅回路ユニットをバイパスして出線へ伝える場合には、上記切り換え用コネクタを上記バイパス用コネクタに接続させ、また、入線からの信号を上記中継増幅回路ユニットを経由して出線へ伝える場合には、上記切り換え用コネクタを上記中継増幅回路用コネクタに接続させる構成としたものであるため、接続の切り換えをスイッチを利用して行う構成に比べて高い信頼性を有する。
【図面の簡単な説明】
【図１】中継装置を有するISDN回線サービスを説明するための図である。
【図２】本発明の第１実施例になる中継装置をその蓋が開かれた状態で示す図である。
【図３】図２の中継装置を概略的に示す図である。
【図４】中継増幅回路ユニットを示す図である。
【図５】本発明の第１実施例になる中継装置のISDN回線サービスを提供しないときの接続状態を示す図である。
【図６】  ISDN回線サービスを提供するときの接続状態を示す図である。
【図７】本発明の第２実施例になる中継装置のISDN回線サービスを提供しないときの接続状態を示す図である。
【図８】  ISDN回線サービスを提供するときの接続状態を示す図である。
【図９】本発明の第３実施例になる中継装置のISDN回線サービスを提供しないときの接続状態を示す図である。
【図１０】  ISDN回線サービスを提供するときの接続状態を示す図である。
【図１１】本発明の第４実施例になる中継装置のISDN回線サービスを提供しないときの接続状態を示す図である。
【図１２】  ISDN回線サービスを提供するときの接続状態を示す図である。
【図１３】切り換え用コネクタと接続切り換え用コネクタ部材とを対向させて示す図である。
【符号の説明】
３０、３０Ｂ〜３０Ｄ  中継装置
３４  回線切り換え部
３５  中継増幅回路ユニット収容部
３６，３６Ｄ  切り換え用雌コネクタ
３７  バイパス用雌コネクタ
４０，４０Ｂ〜４０Ｄ  中継増幅回路ユニット
４２  中継増幅回路ユニット本体
４３、４３Ｂ〜４３Ｄ  中継増幅回路用雌コネクタ
５４  装置内電線（入線）
５５  装置内電線（出線）
６０  接続切り換え用コネクタ部材
１４２  ケーブル
７０、１４４  切り換え用雄コネクタ
７３，７４、９６、９７、１１６、１１７  表示部
【図１】
0003753949.tif 000002
【図２】
0003753949.tif 000003
【図３】
0003753949.tif 000004
【図４】
0003753949.tif 000005
【図５】
0003753949.tif 000006
【図６】
0003753949.tif 000007
【図７】
0003753949.tif 000008
【図８】
0003753949.tif 000009
【図９】
0003753949.tif 000010
【図１０】
0003753949.tif 000011
【図１１】
0003753949.tif 000012
【図１２】
0003753949.tif 000013
【図１３】
0003753949.tif 000014